【事件の表示】
　特願２０１２−５１８６１２号「幼児及び呼吸困難患者用ネブライザ」拒絶査定不服審判事件〔平成２３年１月６日国際公開、ＷＯ２０１１／００３０１７、平成２４年１２月１３日国内公表、特表２０１２−５３１９７３号〕について、次のとおり審決する。
【結　論】
　本件審判の請求は、成り立たない。
【理　由】
第１　手続の経緯
　本願は、２０１０年７月１日（パリ条約による優先権主張　２００９年７月１日　アメリカ合衆国、２０１０年６月３０日　アメリカ合衆国）を国際出願日とする出願であって、平成２６年４月２３日付けで拒絶理由が通知され、平成２６年７月２８日付けで意見書及び手続補正書が提出されたが、平成２６年１２月１８日付けで拒絶査定された。これに対し、平成２７年４月２２日付けで拒絶査定不服審判が請求され、審判請求と同時に特許請求の範囲についての手続補正書が提出された。その後、当審において平成２８年６月１４日付けで拒絶理由が通知され、平成２８年７月２１日付けで意見書及び手続補正書が提出された。
第２　本願発明
　本件の請求項１ないし４に係る発明は、平成２８年７月２１日付け手続補正書によって補正された特許請求の範囲の請求項１ないし４に記載された事項により特定されるとおりのものと認められるところ、その請求項１に係る発明（以下、「本願発明」という。）は、次のとおりのものである。
　
「乾燥粉末薬剤を幼児及び呼吸困難患者、人工呼吸器を付けた患者または意識不明の患者の吸入空気流に送達する、噴射剤を用いない装置であって、
　エアロゾル化した薬剤をその中に導入可能なエアロゾルチャンバを画定するハウジングと、
　前記チャンバの出口と、
　前記出口に連結されたマウスピースと、
　前記乾燥粉末薬剤をエアロゾル化しかつ前記エアロゾル化された乾燥粉末薬剤を前記チャンバに導入するための振動素子を含むネブライザと、
　前記幼児、患者の吸入及び吐き出しを測定及び識別することによって、前記幼児、患者の周期的呼吸を感知する温度センサ、圧力センサ、気体センサと、
　を含み、
　前記ネブライザは、各センサの出力に応じ患者の周期的呼吸を感知することによってスイッチＯＮ及びＯＦＦが誘発される、装置。」
　
第３　当審の判断
１　引用文献の記載事項
（１）引用文献１
（１−１）引用発明
　原査定の拒絶の理由で引用された、本願の優先権主張日前に頒布された刊行物である特表２００２−５２４１０７号公報（以下、「引用文献１」という。）には、図面とともに次の事項が記載されている。
　なお、下線は、理解のため当審において付したものである。
　
ア　「【０００１】
【発明の属する技術分野】
　
本発明は、大まかに言えば、医薬品および薬剤の
移送の技術分野に関するものである。
粉末薬の吸入を容易とすることである。
イ　「【０００８】
　これら従来技術によるデバイスは、本発明によって克服されるような、いくつかの問題点および欠点を有している。
例えば、従来技術によるデバイスにおいては、孔開け済みのカプセルから吸入空気流へと粉末を吸い出すために、使用者がかなりの吸入を行う必要がある。
　
ウ　「【００１４】
　したがって、従来技術によるデバイスは、肺にまでの乾燥粉末の搬送に際して望ましくないような、多くの欠点を有している。これら欠点のいくつかは、下記のようなものである。
−従来技術による吸入器の性能が、使用者によって生成される流速に基づくものであること。流速が小さいと、粒子が全体的に解離されることがなく、そのため、患者に対して搬送される薬剤量が悪影響を受けてしまう。
−解離プロセスの一貫性の欠如のために、投与量と薬剤効能とが一致しなくなってしまうこと。
−電気機械的吸入器の駆動のために大きなエネルギーが必要とされ、このため、デバイスのサイズが大きくなってしまって、携帯用途に適さないものとなってしまうこと。」（段落【００１４】）
エ　「【００２０】
　本発明のさらに他の実施形態においては、吸入デバイスの様々な構成部材を制御するための空気流通センサが提供される。好ましい実施形態においては、音響的コントローラを具備しており、
この音響的コントローラは、自身の周囲の流体圧力を検出し得るとともに流体圧力の周波数および強度を代理する信号を形成し得る音響的検出部材を備え、それら信号が、吸入デバイスのある種の構成部材を制御する（例えば、駆動する、駆動禁止する、電圧を増加する、等）ために使用されるようになっている。
　【００２１】
　好ましくは、音響的検出部材が、マイクロホンまたは流体圧力トランスデューサであって、
吸入デバイス（例えば、乾燥粉末吸入器）の通路内に配置されており、吸入空気流に応答して信号を生成する。
【００２２】
　よって、
本発明は、呼吸によって駆動され、
患者が最適の（例えば最大の）吸入効果を行ったときにのみ、高周波バイブレータおよび静電プレートを起動することができる。
オ　「【００５１】
　図１２および図１３には、吸入デバイス２０２の空気流通通路２１２の断面図が示されている。図１２の示す空気流通通路２１２の上流側に、例えば上述のような典型的な吸入デバイスの一般的な空気流通通路が存在していることに注意されたい。しかしながら、本発明は、空気流通通路の特定の形状に無関係に、任意の吸入デバイスに対して適用することを意図している。最も基本的なレベルにおいては、本発明は、センサ２０８の周囲の流通擾乱（すなわち、吸入器の使用者による吸息性の空気流通速度）を検出して、後述するように、検出された空気流の擾乱の強度および周波数の関数として吸入デバイス２０２の様々な構成部材を制御するために、空気流通センサ２０８を設けることによって、動作する。
【００５２】
　図１２に示すように、空気１１０（または他の流体）は、典型的にはデバイス２０２において吸入を行っている患者の吸気活動によって、空気流通通路２１２内に流入する。空気２１０が通路２１２を通して流通するときには、空気の一部は、キャビティ２０４の中の通路２０２内の開口２０６を通して、流入する。キャビティ２０４内には、空気流検出デバイス２０８が配置されている。好ましくは、空気流検出デバイス２０８は、例えばマイクロホンといったような音響的検出デバイスである。また、好ましくは、マイクロホン２０８は、キャビティ２０４内において検出された空気流に応じた適切な信号２４８を生成するように構成されている。キャビティ２０４内において検出される空気流の強度および周波数は、デバイス２０２の空気流通通路２１２内の空気流速２１０の関数である。よって、マイクロホン２０８からの出力信号２４８は、（通路２１２内の流速の関数である）キャビティ内の空気流速の関数として周波数と強度との双方において変化する。よって、マイクロホン２０８からの出力信号２４８を、後述のように周波数および／または強度の関数として吸入器２０２の様々な構成部材を制御するために、使用することができる。キャビティ２０４の形状および開口２０６のサイズが、空気流通通路２１２の特定の形状や通路２１２を通しての空気流速やマイクロホン２０８の周波数応答性および／または感度に応じて選択されること、また、このようなすべての変形例が本発明の範囲内であることは、当業者であれば理解されるであろう。好ましくは、上述のように、キャビティ２０４の形状および開口２０６のサイズは、通路２０２内の空気の少なくとも一部がマイクロホン２０８による応答を誘起し得るような十分な強度でもってキャビティ２０４内に流入し得るように、選択される。」（段落【００５１】〜【００５２】）
カ　「【００５３】
　図１３には、例えば米国特許明細書第５，６９４，９２０号に開示されているような乾燥粉末吸入器における空気流センサ（上記の図１２に示すもの）の実施形態を、より広い範囲を示す断面図である。図１３に示されているものは、典型的な乾燥粉末吸入器２０２の構成部材である。マウスピース２４６は、デバイス２０２を使用して使用者（すなわち、患者）が吸入を行い得るように設けられている。高周波数の振動機構２２８（例えば、圧電素子、超音波音響トランスデューサ、あるいは、他の電気／機械的振動機構、等）が、
乾燥粉末薬２５０の容器２２０（例えば、ブリスタカプセル）を振動させ、これにより、薬剤粒子を空気流通通路２１２内へと浮遊させるために、設けられている。
キ　「【００５４】
　図１４は、乾燥粉末吸入器のための本発明による音響制御システムを示すブロック図である。上述のように、マイクロホン部材２０８は、検出される空気流２１０’に応じた信号２４８を生成する。これら信号は、強度／周波数プロセッサ２３０によって処理され、信号２４８を調整して出力信号２４８の強度および／または周波数を決定する。強度／周波数プロセッサは、高周波バイブレータおよび／または静電プレートを制御するための出力信号２４８’を生成する。この目的のために、出力信号２４８’は、比較器回路２４０および／または２３２に対して入力され、それぞれ参照しきい値２４２および／または２３４と比較される。
【００５５】
　信号２４８，２４８’が、上述のように空気流速２１０を代理するものであることを、理解されたい。本発明は、信号２４８の周波数および／または強度の関数として制御可能であること、よって、強度／周波数プロセッサが、強度および周波数の両方の観点において、信号２４８を調整し得るように構成されていること、を意図している。高周波バイブレータしきい値発生部材２４２は、高周波バイブレータコントローラ２４４を駆動する（コントローラ２４４が、その次に、高周波バイブレータ２２６を駆動する）ために必要な最小電圧および周波数を表す信号２５２を生成する。比較器２４０は、信号２５２と信号２４８’とを比較し、両信号が強度および周波数において等価であれば（いくらかの所定許容誤差範囲内において）、比較器は、高周波バイブレータコントローラ２４４を駆動する。これにより、高周波バイブレータ２２６が駆動されて直接的に制御される。同様に、比較器２３２において信号２４８’と信号２５４とが同等であると判定されることによって、静電プレート偏向器コントローラ２３６が、駆動される。静電プレート偏向器しきい値発生部材２３４は、静電プレート２２６を駆動するために必要な最小電圧および周波数を表す信号２５４を生成する。
【００５６】
　吸入容量プロセッサ２３８は、患者による吸入流２１０（信号２４８，２４８’によって表される）のピークを計算するために、設けられている。図面には示していないけれども、この情報は、高周波バイブレータしきい値発生部材２４２および／または静電プレート偏向器しきい値発生部材２３４からのしきい値信号を調整するために使用することができる。当然のことながら、これを行うためには、高周波バイブレータしきい値発生部材２４２および／または静電プレート偏向器しきい値発生部材２３４は、従来技術において公知であるように、プログラム可能なものでなければならない。このようにして、マイクロホン２０８は、患者どうしの間にわたってのすなわち個人差による吸入流速の変化に応じた調整を行い得るようにして吸入器の様々な構成部材を駆動するために、プログラムすることができる。よって、例えば、本発明による吸入制御手順は、個人に合わせて調節することができ、例えば肺の容量の低下等によって起こる患者の吸入流速の低下を補償することができる。
これに代えて、プロセッサ２３８は、最適の吸入タイミングで（例えば、ピーク吸入時）、ここに開示した様々な部材（例えば、バイブレータ、静電プレート、等）を順次的に起動し得るように、修正することができる。よって、例えば、プロセッサ２３８は、使用者によるピーク吸入直前のタイミングでバイブレータを起動し、その後、静電プレートを起動し、これらにより、薬剤の最適の吸入吸収が行われるタイミングで空気流内に薬剤を浮遊させるようにする、といったように制御することができる。
ク　「【００６０】
　他の変形も可能である。例えば、マイクロホン２０８は、キャビティ２０４内に配置することに代えて、デバイス２０２の空気流通通路２１２の内壁上に直接的に配置することができる。また、図１２に示すように、擾乱発生器２１４を設けて、空気流通通路２１２内において空気擾乱を発生させることができる。この変更は、例えば、そういう対策を行わなければキャビティ２０４内に空気２１０の一部２１０’が流入できないような状況の吸入デバイスにおいて、使用することができる。
加えて、マイクロホン２０８に代えて、音響部材は、流体圧力（強度）および／または周波数の関数として適切な信号を出力するような任意の公知の流体圧力トランスデューサ（例えば、空気圧力トランスデューサ）とすることができる。
ケ　【図１３】から、乾燥粉末吸入器２０２が、空気流通通路２１２を画定するハウジングを有することが看取できる。
　上記ア〜クの記載、及び、ケの図示事項、並びに、【図１２】ないし【図１４】から、引用文献１には、次の発明（以下「引用発明１」という。）が記載されている。
　
「乾燥粉末薬２５０の薬剤粒子を患者の吸気活動によって流入する空気２１０に浮遊させる、乾燥粉末吸入器２０２であって、
　浮遊した乾燥粉末薬２５０の薬剤粒子を、その中に導入可能な空気流通通路２１２を画定する乾燥粉末吸入器２０２のハウジングと、
　前記空気流通通路２１２の出口と、
　前記空気流通通路２１２の出口に連結されたマウスピース２４６と、
　乾燥粉末薬の薬剤粒子を空気流通通路２１２内へと浮遊させるための高周波バイブレータ２２８を含む乾燥粉末吸入器２０２と、
　患者の吸気活動によって流入する空気流に応じた信号を生成するマイクロホン部材２０８と、最適な吸入タイミングでバイブレータを起動させるプロセッサ２３８と、
　を含み、
　前記乾燥粉末吸入器２０２は、マイクロホン部材２０８の出力に応じ患者の最適な吸入タイミングでバイブレータを起動させ空気流内に薬剤を浮遊させる、乾燥粉末吸入器２０２。」
　
（１−２）引用文献１記載事項
　また、引用文献１には上記摘記事項に加え、以下の記載がある。
サ　「【００３０】
　図１〜図３は、我々の上記の米国特許明細書第５，６９４，９２０号によって形成された吸入器の一実施形態１０を示している。吸入器１０は、硬質プラスチック製のまたは金属製の、ハウジング１８を具備している。ハウジング１８は、長さ方向横断面においては、全体的にＬ字形とされている。ハウジング１８は、４個の空気流通開口２０，２８，３０，３２を備えている。吸入器１０は、空気流通用の主通路２６を具備している。主通路２６は、（開口部２０のところにおける）前面２２から（開口２８のところにおける）背面２４にまで延在しており、全体的に正方形形状の横断面形状を有している。主通路２６は、前面２２から背面２４までにわたって空気を流通させることができる（図１において、矢印Ｆによって示されている）。
【００３１】
　二次空気コンジット３１は、全体的にＬ字形とされていて、ハウジング１８の背面２４内の開口３０から主通路２６にまで延在している。一方向流通バルブ５０が、通常のスプリングによって付勢されたヒンジ機構（図示せず）を介して、主通路２６の内面３３に対して取り付けられている。この場合、ヒンジ機構は、主通路２６内の空気流通Ｆの圧力が、主通路２６を通しての使用者による吸入を示すような所定しきい値よりも小さいときには、バルブ５０が空気流通Ｓを完全に遮断するし得るように、構成されている。
【００３２】
　粉末適用チャンバ５４は、吸入されるべき粉末薬剤のカプセル３４を保持するために、ハウジング１８内に形成されている。ハウジング１８は、背面２４に、チャンバ５４内にカプセル３４を導入してガイド手段６０Ａ、６０Ｂ間において振動手段３６のシート５２上に配置することを可能とするための可動パネル部３２を備えている。好ましくは、振動手段３６は、圧電性バイブレータ９０を内包している硬質プラスチック製または金属製の保護シェル３７を備えている（図４）。好ましくは、バイブレータ９０は、バイブレータ９０からシェル３７を経由してカートリッジ（カプセル）３４にまで最大の振動エネルギーを伝達し得るよう、薬剤カートリッジ３４に対して、ディスク（図示せず）を介して、シェル３７を経由して機械的に連結される。ガイド手段６０Ａ、６０Ｂは、チャンバ５１内におけるシート５２上へのカプセルの導入と保持とを容易なものとし得るよう、シート５２に向けて下向きに傾斜した２つの傾斜面を有している。可動パネル３２は、使用者による吸入時にチャンバ５１からコンジット６１を通りコンジット３１内へと流通する付加的空気流Ｓ２を形成し得るよう、他の空気流入口３４を有している。好ましくは、パネル３２およびハウジング１８は、使用済みの（すなわち、空となった）カプセルの取出と、新品の（すなわち、完全に無傷の）カプセルの導入と、の間において使用者によってパネル３２を着脱可能式にハウジングに対して再取付させ得るような、従来型の係合取付手段（図示せず）を備えている。
【００３３】
　
吸入器１０は、さらに、コンジット２６の内面上に取り付けられた、空気流速センサまたは圧力センサ４０を備えている。これにより、空気流Ｆの速度および／または圧力を検出することができる。
シ　「【００３７】
　制御回路４８は、好ましくは、駆動コントローラ７０と振動フィードバック制御システム７２とを備えている。駆動コントローラ７０は、センサ４０から供給された信号に基づいてまた電源スイッチ１２の状態に基づいて電源４６から制御システム７２への電力供給を可能とし得るような、従来型のスイッチング機構を備えている。言い換えれば、
コントローラ７０は、スイッチ１２のスライドインジケータバー１４がチャネルトラック１６内において『オン』位置にセットされており、かつ、主通路２６を通って吸入が行われていることを示す信号を吸入検知センサ４０がコントローラ７０に対して供給しているときには、電源４６からシステム７２への駆動電力の供給を可能とする。
コントローラ７０は、
主通路２６を通っての吸入が行われていないことを示す信号を吸入検知センサ４０がコントローラ７０に対して供給しているか、のいずれかであるときには、電源４６からシステム７２への駆動電力の供給を禁止する。
　上記ア〜エ、サ、シの記載、及び、【図３】、【図４】から、引用文献１には、以下の２つの事項が記載されている（以下、それぞれ「引用文献１記載事項１」及び「引用文献１記載事項２」という。）
（引用文献１記載事項１）
「乾燥粉末吸入器において、粉末薬剤を振動させるバイブレータ手段の駆動を制御するため、使用者の吸入を検知する吸入センサ４０として空気流速センサまたは圧力センサを用いていること。」
（引用文献１記載事項２）
「乾燥粉末吸入器において、粉末薬剤を振動させるバイブレータ手段の駆動制御において、吸入が行われていることを示す吸入検知センサの信号が供給されると駆動電力の供給を可能とし、吸入が行われていないことを示す吸入検知センサの信号が供給されると駆動電力の供給を禁止すること。」
２．対比・判断
　本願発明と引用発明１とを対比すると、その構成及び機能からみて、後者の「乾燥粉末薬２５０の薬剤粒子」は前者の「乾燥粉末薬剤」に相当し、同様に、後者の「患者の吸気活動によって流入する空気２１０」は前者の「吸入空気流」に、「乾燥粉末吸入器２０２」は「噴射剤を用いない装置」または「ネブライザ」に、「浮遊した乾燥粉末薬２５０の薬剤粒子」は「エアロゾル化した薬剤」に、「空気流通通路２１２」は「エアロゾルチャンバ」に、「乾燥粉末吸入器２０２のハウジング」は「ハウジング」に、「空気流通通路２１２の出口」は「チャンバの出口」に、「マウスピース２４６」は「マウスピース」に、「乾燥粉末薬の薬剤粒子を空気流通通路２１２内へと浮遊させるための高周波バイブレータ２２８」は「乾燥粉末薬剤をエアロゾル化しかつエアロゾル化された乾燥粉末薬剤をチャンバに導入するための振動素子」にそれぞれ相当する。
　また、後者の「患者の吸気活動によって流入する空気流に応じた信号を生成するマイクロホン部材２０８」と前者の「幼児、患者の吸入及び吐き出しを測定及び識別することによって、前記幼児、患者の周期的呼吸を感知する温度センサ、圧力センサ、気体センサ」とは、「患者の吸入を測定及び識別するセンサ」の限りで一致する。
　さらに、後者の「乾燥粉末吸入器２０２は、マイクロホン部材２０８の出力に応じ患者の最適な吸入タイミングでバイブレータを起動させ空気流内に薬剤を浮遊させる、乾燥粉末吸入器２０２」は、少なくともマイクロホン部材２０８の出力に応じてバイブレータの起動を行う、すなわち、バイブレータの起動スイッチをＯＮするものであるから、後者の「乾燥粉末吸入器２０２は、マイクロホン部材２０８の出力に応じ患者の最適な吸入タイミングでバイブレータを起動させ空気流内に薬剤を浮遊させる、乾燥粉末吸入器２０２」と前者の「ネブライザは、各センサの出力に応じ患者の周期的呼吸を感知することによってスイッチＯＮ及びＯＦＦが誘発される、装置」とは、「ネブライザは、センサの出力に応じスイッチＯＮが誘発される、装置」という限りで一致する。
　してみると、両者は次の点で一致している。
　
（一致点）
「乾燥粉末薬剤を患者の吸入空気流に送達する、噴射剤を用いない装置であって、
　エアロゾル化した薬剤をその中に導入可能なエアロゾルチャンバを画定するハウジングと、
　前記チャンバの出口と、
　前記出口に連結されたマウスピースと、
　前記乾燥粉末薬剤をエアロゾル化しかつ前記エアロゾル化された乾燥粉末薬剤を前記チャンバに導入するための振動素子を含むネブライザと、
　前記患者の吸入を測定及び識別するセンサと、
　を含み、
　前記ネブライザは、センサの出力に応じスイッチＯＮが誘発される、装置。」
　
　そして、両者は次の点で相違している。
（相違点１）
　本願発明では、装置の適用者または患者を、幼児及び呼吸困難患者、人工呼吸器を付けた患者または意識不明の患者と特定するものであるのに対し、引用発明１はそのような特定がない点。
（相違点２）
　装置のセンサについて、本願発明は、幼児、患者の吸入及び吐き出しを測定及び識別することによって、前記幼児、患者の周期的呼吸を感知する温度センサ、圧力センサ、気体センサであるのに対し、引用発明１は患者の吸気活動によって流入する空気流に応じた信号を生成するマイクロホン部材２０８である点。
（相違点３）
　本願発明は、各センサの出力に応じ患者の周期的呼吸を感知することによってスイッチＯＮ及びＯＦＦが誘発されるものであるのに対し、引用発明１は、マイクロホン部材２０８の出力に応じ患者の最適な吸入タイミングでバイブレータを起動させ空気流内に薬剤を浮遊させるものである点。
　
　以下、上記各相違点について検討する。
（相違点１について）
　本願発明は、明細書の段落【０００３】〜【０００８】の記載からみて、従来のような患者の吸気量に依存するネブライザでは、吸気が少ない者では十分な薬物送達が行えない幼児や呼吸困難者に適用する装置であると理解され、上記相違点１に係る本願発明１の発明特定事項を有している。
　一方、引用文献１の上記摘記事項イ、ウによれば、引用発明１も使用者の吸入が小さい場合の課題に対処することが示唆されている。
　してみると、引用発明１の構成を、吸気が弱い、すなわち、吸入が小さいことが明らかである幼児及び呼吸困難患者、人工呼吸器を付けた患者または意識不明の患者に適用して、相違点１に係る本願発明の構成とすることは、当業者であれば容易に想到し得る程度のことに過ぎない。
（相違点２について）
　まず、上記相違点２に係る本願発明の構成である「温度センサ、圧力センサ、気体センサ」について検討する。
　本願明細書の段落【００１５】には「本体１２には、・・・振動素子２６の作動を制御するためのマイクロプロセッサ又は電子コントローラ２７、吸入／吐き出しを検出するためのセンサシグナルプロセシングなどが搭載される。」との記載があり、段落【００２０】には「患者の周期的呼吸を感知することによってスイッチＯＮ及びＯＦＦが誘発（トリガー）され、１回又は数回の呼吸にわたって作動してもよい。図７に示すように、吸入及び／又は吐き出しサイクルが感知され、エアロゾル発生器が短期間の間スイッチＯＮされ、その後、粒子を患者に運搬又は進めるために、ある量の追跡空気が続く。・・・患者の吸入／吐き出しを検出するのに使用されうるセンサの例は、フローセンサ、圧力センサ、吸気及び呼気の温度差を測定する温度センサ、吸気及び呼気の気体成分レベルの差を測定する二酸化炭素センサ、一酸化窒素センサ、又はその他の気体センサであり、胸腔の拡張及び収縮を測定する胸部ストラップなどの物理的測定も本目的に使用できる。」との記載がある。また、特許請求の範囲には、本願発明の構成を特定する請求項１を引用する請求項３をさらに引用する請求項４に、「吸入及び／又は吐き出しは、フローセンサ、圧力センサ、温度センサ、気体センサ、及び胸部ストラップからなる群から選択されるセンサを用いて感知される」と記載されている。これらのことからみて、本願発明の「温度センサ、圧力センサ、気体センサ」は、これらセンサを全て備えるという意味ではなく、「温度センサ、圧力センサ、気体センサ」から選択されるセンサと解するべきである。
　そこで、上記相違点２について検討すると、相違点２に係る引用発明１の「患者の吸気活動によって流入する空気流に応じた信号を生成するマイクロホン部材２０８」は、患者の吸気活動によって、空気流通通路２１２内に流入する空気流に応じた出力信号２４８を生成するもので、この信号により、プロセッサ２３８により、例えば患者のピーク吸入時を求め、最適の吸入タイミングでバイブレータを起動させるものである。また、引用文献１の段落【００６０】（上記摘記事項ク参照。）には、マイクロホン２０８に代えて、流体圧力トランスデューサとすることができる旨示唆され、また、引用文献１には上記したように、「乾燥粉末吸入器において、粉末薬剤を振動させるバイブレータ手段の駆動を制御するため、使用者の吸入を検知する吸入センサ４０として空気流速センサまたは圧力センサを用いていること」（引用文献１記載事項１）が記載されている点を考慮すると、引用発明１のマイクロホン部材２０８に代えて、圧力センサを採用して相違点２に係る本願発明のようにすることは当業者であれば容易に想到し得る程度のことに過ぎない。
（相違点３について）
　引用発明１は、マイクロホン部材２０８の出力に応じ患者の最適な吸入タイミングでバイブレータを起動させるものであるが、本願発明のように、各センサの出力に応じ患者の周期的呼吸を感知することによってスイッチＯＮ及びＯＦＦが誘発されるものであるか否か、引用文献１には直接的な記載はない。
　しかしながら、引用文献１の段落【００５６】（上記摘記事項キ参照。）には、「プロセッサ２３８は、使用者によるピーク吸入直前のタイミングでバイブレータを起動し、その後、静電プレートを起動し、これらにより、薬剤の最適の吸入吸収が行われるタイミングで空気流内に薬剤を浮遊させるようにする、といったように制御することができる。」と記載され、患者の各呼吸毎のピーク吸入直前を検知し、そのタイミングでバイブレータを起動することが記載されていることから、各呼吸のピーク吸入直前を検知するために患者の周期的呼吸を検知すること、また、そのタイミング毎にバイブレータを起動させることから、そのタイミング前には前の呼吸におけるピーク吸入直前で起動したバイブレータを停止させる必要があることは明らかである。
　してみると、引用発明１も、マイクロホン部材の出力に応じ、患者の周期的呼吸を感知することによってバイブレータをＯＮ及びＯＦＦするものと認められるから、結局、上記相違点３は実質的に同一であり、相違点はない。
　また、仮に、引用発明１が、マイクロホン部材の出力に応じ、患者の周期的呼吸を感知することによってバイブレータをＯＮ及びＯＦＦするものと認められないとしても、上述のように、引用文献１には、「乾燥粉末吸入器において、粉末薬剤を振動させるバイブレータ手段の駆動制御において、吸入が行われていることを示す吸入検知センサの信号が供給されると駆動電力の供給を可能とし、吸入が行われていないことを示す吸入検知センサの信号が供給されると駆動電力の供給を禁止すること」（引用文献１記載事項２）が記載されており、吸入検知センサが吸入が行われていること及び吸入が行われていないことを示す信号を供給しており、このことは患者の周期的呼吸を感知することに他ならず、また、この信号によって駆動電力の供給の可否を制御していることが記載されていることから、引用発明１のバイブレータの制御に、引用文献１記載事項２の技術を適用して、上記相違点３に係る本願発明のようにすることは当業者であれば容易に想到し得る程度のことに過ぎない。
　
　以上のとおりであるから、本願発明は、引用発明１及び引用文献１に記載された事項から当業者が容易に想到し得るものと認められる。
　そして、本願発明の効果は、引用発明１及び引用文献１に記載された事項から当業者が予測し得る程度のものであって、格別のものとはいえない。　
　
３．むすび
　以上のとおりであるから、本願発明は、引用発明１及び引用文献１に記載された事項に基づいて当業者が容易に発明をすることができたものであり、特許法第２９条第２項の規定により特許を受けることができない。
　よって、結論のとおり審決する。